(57)【要約】【課題】商品陳列棚の高さや奥行きの幅に制限されることなく、簡易な構成で、少ないスペースに効率よく多くの商品を陳列することできるとともに、商品がなくなったら容易に陳列台を収納できる商品陳列棚を提供すること。【解決手段】陳列台１１を側面にスライド溝２ｂ、２ｂを設けた陳列板２、２から形成し、収納部１の前部には、スライド溝２ｂ、２ｂを貫通する水平軸４に設けて、陳列板２、２を水平軸４に対してスライド溝２ｂ、２ｂを摺動させると共に回動させることにより、陳列台１１を陳列可能状態に配置できると共に、収納部１内に収納する収納位置に配置できるようにした。【選択図】図１
2018143343.tif 000002
【特許請求の範囲】
【請求項１】
一対の側壁と、
前記一対の側壁の前部において前記一対の側壁を連結する水平軸と、
前記一対の側壁の後部において前記一対の側壁の内方に向かって突設するストッパーと、
陳列物を懸架して載置することにより該陳列物を陳列する少なくとも２枚の陳列板とを備え、
前記少なくとも２枚の陳列板には、前記水平軸に遊嵌するスライド溝が開口されており、
前記少なくとも２枚の陳列板を、前記水平軸に対して前記スライド溝を摺動させると共に回動させながら前記少なくとも２枚の陳列板の後端部が前記ストッパーに当接するまで前方に引き出すことにより、陳列可能状態とし、
前記少なくとも２枚の陳列板を、前記水平軸に対して前記スライド溝を摺動させると共に回動させながら前記少なくとも２枚の陳列板が起立するように後方に押し込むことにより、収納状態とすることを特徴とする陳列棚。
【請求項２】
前記陳列板の側面に設けられる前記スライド溝は、前記陳列可能状態において、前方に向かって下方に傾斜していることを特徴とする請求項１に記載の陳列棚。
【請求項３】
前記陳列板は、前記水平軸に沿って水平方向に移動可能であることを特徴とする請求項１または２に記載の陳列棚。
【請求項４】
前記少なくとも２枚の陳列板は、前記陳列可能状態において、上下方向に複数段配置されることを特徴とする請求項１乃至３のいずれか１項に記載の陳列棚。
【発明の詳細な説明】
【技術分野】
【０００１】
本発明は、陳列棚が収納可能な商品陳列棚に関する。
【背景技術】
【０００２】
従来より、限られたスペースに効率よく多くの商品（収納物）を陳列または収納可能なキャビネットなどが提案されている。例えば、特許文献１には、収納部が左右のキャビネット側板の前後方向に対して、中心より少し前方に設けた水平軸を中心に略９０゜の範囲で回転できるように取り付け、収納部の側端壁を円弧状の扇形状部にすることにより水平軸を中心に収納部が略水平位置まで回転して、収納部が開放状態にできる回転式のキャビネットが開示されている。収納部が回転して開放状態にできることから、少ない使用スペースにおいても、収納物の収納、取り出しが容易になるとしている。
【０００３】
特許文献２には、多数の収納仕切り室（トラフ）を備えた収納戸棚が開示されている。各トラフは、水平軸により回転可能に収納戸棚に支持されるとともに、各トラフの底壁に対して外方にほぼ垂直に延びる舌片が設けられている。これにより、舌片がトラフ開放位置においてはほぼ水平となり、物品が収納できるとともに、トラフ閉止位置においてはトラフが完全に閉止されるとしている。
【先行技術文献】
【特許文献】
【０００４】
【特許文献１】特開平５−２６１０１２号公報
【特許文献２】特開昭６１−１２８９０８号公報
【発明の概要】
【発明が解決しようとする課題】
【０００５】
特許文献１に開示されたキャビネットの収納部や特許文献２に開示された収納戸棚の各トラフの舌片は、いずれも開放状態では、商品の陳列台として利用することが可能である。しかしながら、特許文献１に開示されたキャビネットの収納部や特許文献２に開示された収納戸棚の各トラフは水平軸を中心に回動するだけであるため、商品の陳列台として利用できる収納部または舌片の大きさは、キャビネットまたは収納戸棚の高さや奥行きの幅に制限される。そのため、陳列できる商品の量も制限され、少ないスペースに効率よく多くの商品を陳列することが難しいという問題がある。
【０００６】
本発明は前記従来の問題点を解消するためになされたものであり、商品陳列棚の高さや奥行きの幅に制限されることなく、簡易な構成で、少ないスペースで効率よく多くの商品を陳列台に陳列することできるとともに、商品がなくなったら容易に陳列台を収納できる商品陳列棚を提供することを目的とする。
【課題を解決するための手段】
【０００７】
前記目的を達成するため請求項１に係る陳列棚は、一対の側壁と、一対の側壁の前部において一対の側壁を連結する水平軸と、一対の側壁の後部において一対の側壁の内方に向かって突設するストッパーと、陳列物を懸架して載置することにより該陳列物を陳列する少なくとも２枚の陳列板とを備えている。ここで、少なくとも２枚の陳列板には、水平軸に遊嵌するスライド溝が開口されている。少なくとも２枚の陳列板を、水平軸に対してスライド溝を摺動させると共に回動させながら少なくとも２枚の陳列板の後端部がストッパーに当接するまで前方に引き出すことにより、陳列可能状態とされる。また、少なくとも２枚の陳列板を、水平軸に対してスライド溝を摺動させると共に回動させながら少なくとも２枚の陳列板が起立するように後方に押し込むことにより、収納状態とされる。
【０００８】
請求項２に係る陳列棚は、請求項１に記載の陳列棚であって、陳列板の側面に設けられるスライド溝は、陳列可能状態において、前方に向かって下方に傾斜していることを特徴とする。
【０００９】
請求項３に係る陳列棚は、請求項１または２に記載の陳列棚であって、陳列板は、水平軸に沿って水平方向に移動可能であることを特徴とする。
【００１０】
請求項４に係る陳列棚は、請求項１乃至３のいずれか１項に記載の陳列棚であって、少なくとも２枚の陳列板は、陳列可能状態において、上下方向に複数段配置されることを特徴とする。
【発明の効果】
【００１１】
請求項１に係る陳列棚では、少なくとも２枚の陳列板を水平軸に対してスライド溝を摺動させると共に回動させながら、少なくとも２枚の陳列板の後端部がストッパーに当接するまで前方に引き出して陳列可能状態とし、また、少なくとも２枚の陳列板を水平軸に対してスライド溝を摺動させると共に回動させながら少なくとも２枚の陳列板が起立するように後方に押し込んで収納状態とすることができる。これにより、陳列状態の奥行の幅を決定する少なくとも２枚の陳列板の長さは、一対の側壁の奥行方向の幅の長さに制限されることなく設定することができる。これにより、小さなスペースであっても、少なくとも２枚の陳列板により広い陳列領域を確保することができることから、多くの商品を効率よく陳列することができる。
【００１２】
請求項２に係る陳列棚では、陳列可能状態において、陳列板の側面に設けられるスライド溝が前方に向かって下方に傾斜している。これにより、陳列板が陳列可能状態にある場合は、陳列板は、上方から下方に向かう荷重や前方から後方に向かう荷重に対して、スライド溝の端面が水平軸に当接しスライド溝が水平軸を摺動することはない。上方から下方に向かう荷重や前方から後方に向かう荷重に対しても、陳列板の位置ずれを抑止することができる。これにより、不用意に陳列板に外力が加わっても商品の載置位置のずれや落下を防止することができる。
【００１３】
請求項３に係る陳列棚では、少なくとも２枚の陳列板を水平軸に沿って、水平方向に移動することができる。これにより、陳列する商品のサイズに応じて少なくとも２枚の陳列板の水平方向の間隔を任意に設定することができる。陳列する商品の大きさに応じて陳列板の間隔を調整することができ、効率よく商品を陳列することができる。例えば、陳列板を４枚以上配置すれば、２対以上の異なる幅で２種類の商品が陳列可能になることから、様々な大きさの商品が商品の大きさに応じて効率よく陳列することができる。
【００１４】
請求項４に係る陳列棚では、少なくとも２枚の陳列板を、陳列可能状態において、上下方向に複数段配置する。陳列板を上下方向に複数段配置しても、各段の陳列板を起立状態で一対の側壁内に収納する際、陳列板の側面に設けられたスライド溝によりスライドさせて収納することができることから、各段の陳列板を一部重ねて収納することができる。これにより、特許文献１や特許文献２のように、段の数に比例して陳列棚の高さを高くする必要がないため、陳列棚の高さを抑制することができる。
【図面の簡単な説明】
【００１５】
【図１】本発明の第１の実施形態に係る商品陳列棚を斜め上から見た斜視図である。
【図２】本発明の第１の実施形態に係る商品陳列棚の（ａ）側面図、（ｂ）正面図および（ｃ）平面図である。
【図３】本発明の第１の実施形態に係る商品陳列棚の陳列台の収納方法を説明する（ａ）収納前、（ｂ）収納途中および（ｃ）収納時の側面図である。
【図４】本発明の第２の実施形態に係る商品陳列棚の（ａ）正面図および（ｂ）平面図である。
【図５】本発明の第３の実施形態に係る商品陳列棚の（ａ）正面図および（ｂ）平面図である。
【図６】本発明の第４の実施形態に係る商品陳列棚の（ａ）側面図および（ｂ）正面図である。
【図７】本発明の第１の実施形態に係る商品陳列棚の陳列台の前端部にバーを取り付けた一例を説明する斜視図である。
【図８】本発明の実施形態に係る陳列台の様々な具体例を示した側面図である。
【図９】本発明の第２の実施形態において、棒状のストッパーにスリットを追加した場合を説明する（ａ）正面図および（ｂ）側面図である。
【図１０】本発明の実施形態に係る陳列台の別の一例を説明する側面図である。
【発明を実施するための形態】
【００１６】
以下、本発明の実施形態に係る商品陳列棚を図面に基づいて説明する。
【００１７】
まず、本発明の第１の実施形態に係る商品陳列棚１００について図１および図２を参照して説明する。図１は本発明の第１の実施形態に係る商品陳列棚を斜め上から見た斜視図であり、図２は本発明の第１の実施形態に係る商品陳列棚の（ａ）側面図、（ｂ）前方から見た正面図および（ｃ）上から見た平面図である。
【００１８】
本発明の第１の実施形態に係る商品陳列棚１００は、２枚の平板状の陳列板２、２からなる陳列台１１と陳列台１１を収納する収納部１とから構成される。収納部１は平板状の一対の側面板１ａ、１ｂと一対の側面板１ａ、１ｂの後方上端部を連結する平板状の後面板１ｃとから構成され、一対の側面板１ａ、１ｂの下端部は平板状の底板３の側面に固設されている。すなわち、収納部１の前面部、上部および背面部は、図１に示すように開放した状態になっていることから、容易に陳列板２、２からなる陳列台１１を収納部１から出し入れすることができると共に、陳列台１１に陳列した商品を視認することができる。このような簡易な構造にすることにより、商品陳列棚１００を軽量化できるとともに、簡易に製造することができるため、製造コストも低減することができる。尚、図１および図２に示すように本実施形態では、一対の側面板１ａ、１ｂに単純な四角形の平板を採用しているが、勿論のことながら、側面板１ａ、１ｂはこれに限定するものではなく、陳列する商品や商品陳列棚１００を設置する場所に応じて、任意の形状を採用することができる。また、下述するが、底板３は最下段の陳列台として利用することができる。
【００１９】
陳列台１１を構成する２枚の陳列板２、２は収納部１の内側に収納部１の横幅の内寸法以内の範囲で互いに平行に配置されている。図１および図２に示すように本実施形態では、陳列板２の上端面２ａは商品を効率的に陳列できるようにノコギリ歯型形状になっているが、勿論のことながら、上端面２ａの形状はこれに限定するものではなく、下述で説明するように、陳列する商品に応じて、任意の形状を採用することができる。そして、陳列板２の側面には、陳列可能状態において前方に向かって下方に傾斜したスライド溝２ｂが開口されている。
【００２０】
収納部１の前部には側面板１ａ、１ｂを挟んで陳列板２、２のスライド溝２ｂ、２ｂに遊嵌して貫通する水平軸４が設けられている。水平軸４は、軸止め部材７、７により側面板１ａ、１ｂに固着されている。これにより、陳列板２、２は水平軸４に対してスライド溝２ｂ、２ｂを摺動させると共に回動することができる。陳列板２、２の各両側には水平軸４上で陳列板２、２の位置決めする位置決め部材５、６が水平軸４に取り付けられており、位置決め部材５、６により、陳列板２、２を各々任意の位置に位置決めすることができる。位置決め部材５、６は、本実施形態では、リング形状のゴム材を採用している。位置決め部材５、６の内径部と水平軸４との摩擦力により、陳列板２、２を水平軸４上の任意の位置に位置決めすることができる。位置決め部材５、６は、これに限定するものではない。陳列板２、２を水平軸４上の任意の位置に位置決めできればよいのであって、例えば、水平軸４を挟むクリップのようなものも採用することができる。
【００２１】
また、側面板１ａ、１ｂの内面には、後部位置にストッパー８、８が側面板１ａ、１ｂの内方に向かって突設して取り付けられている。陳列板２、２を、水平軸４に対してスライド溝２ｂを摺動させると共に回動させながら陳列板２、２の後端部がストッパー８、８に当接すると、陳列板２、２が略水平位置に配置されるようにストッパー８、８が取り付けされている。これにより、陳列板２、２が略水平位置に配置することにより、陳列可能状態となり陳列台１１として利用することができる。本実地形態では、ストッパー８は円柱形状となっているが、勿論ながら、これに限定するものではなく、陳列板２が陳列状態で略水平位置に配置することができればいいのであって、ストッパー８の形状は任意に設定することができる。
【００２２】
また、底板３の上面には、棒状の滑り防止部材１０、１０、１０が商品陳列棚１００の前面から見て水平に配設されている。これにより、底板３の上面を最下段の陳列台として利用する際に、陳列した商品を効率よく陳列できるとともに、商品の陳列台から落下を防止することができる。尚、滑り防止部材１０は、陳列する商品に応じて配設すればよく、必ずしも配設する必要はない。また、滑り防止部材１０の形状や配設位置も、陳列する商品に応じて任意に設定すればよく、本実施形態に限定するものではない。
【００２３】
また、図２の（ａ）に示すように、陳列可能状態では、水平軸４は陳列板２のスライド溝２ｂの後端部にあり、陳列板２の重心は水平軸４より前方位置にあるため、陳列板２の前端部には下方に荷重がかかっている。陳列板２のスライド溝２ｂは、陳列可能状態では、前方に向かって下方に傾斜しているため、上方から下方への荷重や前方から後方への力が加わっても、スライド溝２ｂの端面が水平軸４に当接するのでスライド溝２ｂが水平軸４を摺動することはなく、水平軸４が陳列板２の移動を抑止することができる。陳列板２に商品が陳列されている場合は下方にかかる荷重はさらに大きくなるため、不用意に陳列板２に荷重や力が加わっても、陳列板２の位置ずれは抑止されて、陳列されている商品の載置位置のずれや落下を防止することができる。
【００２４】
次に、陳列板２を収納部１に収納する方法について、図３を参照して説明する。陳列板２、２からなる陳列台１１から商品がなくなったら、下の段の陳列台（本実施形態では底板３の上面）に陳列した商品を視認し易くまた取りやすくするように、陳列板２、２を収納部１に収納する。
【００２５】
まず、図３の（ａ）に示すように、陳列板２を水平軸４に対してスライド溝２ｂを摺動させると共に陳列板２の前端部をやや上方に移動させながら陳列板２を後方に押し込んで、移動させる（図中の（１））。これにより、陳列板２の重心は矢印Ａの位置から矢印Ｂの位置に向かって移動する。矢印Ｂの位置では、陳列板２の重心は水平軸４より前方にあるため、陳列板２は後方には回動しない。さらに、図３の（ｂ）に示すように、陳列板２を水平軸４に対してスライド溝２ｂを摺動させると共に後方に押し込んで移動させる（図中の（２））。すると、陳列板２の重心が矢印Ｂの位置から水平軸４より後方の矢印Ｃの位置に移動する。これにより、陳列板２は自らの荷重により水平軸４に対してスライド溝２ｂが摺動しながら回動し（図中の（３））、図３の（ｃ）のように収納部１内で起立して収納される（図中の（４））。
【００２６】
逆に、陳列板２を収納部１から取り出す場合は、上述の方法とは逆に、陳列板２を水平軸４に対してスライド溝２ｂを摺動させると共に回動させながら前方に引き出して、陳列板２の重心の位置を水平軸４より前方位置にすることにより、自らの荷重により陳列板２は水平軸４に対してスライド溝２ｂが摺動しながら回動して陳列板２の後端部がストッパー８に当接して、陳列可能状態である略水平位置に移動させることができる。このように、本実施形態によれば、簡易に、陳列板２、２を収納部１内に収納することができるとともに、収納部１内から取り出して陳列可能状態である略水平位置に移動することができる。
【００２７】
次に、本発明の第２の実施形態に係る商品陳列棚１１０について図４を参照して説明する。図４の（ａ）は本発明の第２の実施形態に係る商品陳列棚１１０を前面から見た正面図であり、図４の（ｂ）は上から見た平面図である。
【００２８】
第２の実施形態に係る商品陳列棚１１０では、上記第１の実施形態に係る商品陳列棚１００の円柱形状のストッパー８、８の代わりに一対の側面板１ａ、１ｂを連結する棒状のストッパー１２を採用する。ストッパー１２は、商品陳列棚１００の円柱形状のストッパー８、８の位置に収納部１の側面板１ａ、１ｂの間に水平軸４と平行に取り付けられている。これにより、図４の（ａ）に示すように、陳列板２、２を水平軸４に沿って水平方向の任意の位置に移動させて、任意の幅の陳列板２、２からなる陳列台１５にすることができる。図３の（ｂ）のように、陳列板２、２からなる上段の陳列台１５には、陳列板２、２に幅の小さい商品３１、３１を懸架して陳列し、下段の底板３の上面には幅の大きな商品３２、３２を陳列すれば、下段に陳列した商品３２も効果的に視認することができるとともに、下段の商品３２を簡易に取り出すこともできる。
【００２９】
次に、本発明の第３の実施形態に係る商品陳列棚１２０について図５を参照して説明する。図５の（ａ）は本発明の第３の実施形態に係る商品陳列棚１２０を前面から見た正面図であり、図５の（ｂ）は上から見た平面図である。
【００３０】
第３の実施形態に係る商品陳列棚１２０では、陳列板２を４枚並列に配置した例である。上記の実施形態にかかる商品陳列棚１００および１１０では、１対の陳列板２、２で１つの陳列台１１、１５を形成した例を示したが、陳列板２は、２枚に限定されるものではなく、商品陳列棚１２０に示すように４枚配置し、２対の陳列板２、２により２つの陳列台１６、１７を形成することもできる。２つの陳列台１６、１７の幅は任意に設定することができる。そのため、図５の（ｂ）に示すように幅の大きな商品３３、３３と幅の小さな商品３４、３４は、それぞれの商品の幅に合わせて２つの陳列台１６、１７の陳列板２、２の幅を設定して懸架して陳列することにより、効率よく商品を陳列することができる。陳列板２の枚数は上記のような２枚や４枚に限定するものではなく、３枚であってもよいし、５枚以上であってもよい。陳列する商品に応じて任意の枚数配置し、任意の幅で設定すればよいのである。
【００３１】
次に、本発明の第４の実施形態に係る商品陳列棚１３０について図６を参照して説明する。図６の（ａ）は本発明の第４の実施形態に係る商品陳列棚１３０の側面図であり、図６の（ｂ）は前面から見た正面図である。
【００３２】
商品陳列棚１３０は、最下段の陳列台である底板３の上方に陳列台を２段設けた一例である。２段の内、下方の陳列台１１は、上記第１の実施形態である商品陳列棚１００の陳列板２、２と同様に配置されている。上段の陳列台２７を形成する陳列板２１、２１は、陳列板２１が収納部２０内に収納される際、下段の陳列板２に干渉しないよう陳列板２、２より内側に配置されている。これにより、上段の陳列台２７の幅は下段の陳列台１１よりやや小さくなっている。図６の（ａ）および（ｂ）に示すように、上段の陳列台２７を収納部２０内に収納する際、上段の陳列台２７を形成する陳列板２１、２１を水平軸２２に対してスライド溝２１ｂ、２１ｂを摺動させると共に回動させながら押し込んで収納部２０内に起立した状態で収納する。このとき、下段の陳列台１１を形成する陳列板２、２と一部重ねて収納することができることから、特許文献１や特許文献２のように、段の数に比例して商品陳列棚１３０の高さを高くする必要がないため、商品陳列棚の高さを抑制することができる。また、収納部２０の奥行の幅は変更する必要がないことから、設置スペースを広くすることなく、商品陳列棚１３０のような複数段の陳列台を設けた商品陳列棚が設置することができる。尚、陳列板２１、２１の下面後方部は下段の水平軸４との干渉を回避するため、収納状態において下方向かって後方にカットされている。ここで、陳列板２、２の代わりに陳列板２１、２１を用いてもよい。これにより、同じ陳列板を用いることができることから、部品コストを低減することができる。
【００３３】
よって、実施形態に係る商品陳列棚１００、１１０、１２０、１３０によれば、陳列台１１、１５、１６、１７、２７を形成する陳列板２、２１の側面にスライド溝２ｂ、２１ｂを設けることにより、小さなスペースであっても広い陳列領域が確保することができるとともに、商品がなくなった場合、簡易に陳列台を収納することができる。
【００３４】
ここで、商品陳列棚１００、１１０、１２０および１３０は陳列棚の一例であり、陳列板２および２１は陳列板の一例であり、一対の側面板１ａ、１ｂは、一対の側壁の一例であり、スライド溝２ｂ、２１ｂはスライド溝の一例であり、水平軸４および２２は水平軸の一例であり、ストッパー８、１２および２６はストッパーの一例である。また、商品３１、３２、３３および３４は、陳列物の一例である。
【００３５】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【００３６】
例えば、図７に示すように、陳列板２、２の前端部に陳列板２、２を連結するバー１３を配設してもよい。バー１３を掴んで操作することにより、一度に２枚の陳列板２、２の収納部１への収納や収納部１からの引き出しを行うことができる。
【００３７】
また、上記実施形態では、陳列板２の上端面２ａは図８の（ａ）のようにノコギリ歯型形状としたが、勿論、これに限定するものではない。図８の（ｂ）のように、上記実施形態の底板３の上面のように平らな面に円板状の滑り防止部材４０を配設してもよい。また、図８の（ｃ）のような櫛形状、図８の（ｄ）のような半円を互い違いに配置した波型形状、さらに図８の（ｅ）のように三角形を所定の間隔に配置した形状など、陳列する商品に応じて、様々な形状を採用することができる。
【００３８】
また、図９の（ａ）のストッパー１４のように、下部に所定の間隔で複数のスリットを設けてもよい。スリットの幅を陳列板２の厚みより若干大きくすることにより、陳列板２は後端部においても位置決めされることから、陳列台の保持が強化され、安定して商品を陳列することができる。
【００３９】
また、上記実施形態では、陳列板２の側面に陳列可能状態において前方に向かって下方に傾斜したスライド溝２ｂを設けたが、図１０の（ａ）の陳列板５１のように、スライド溝５１ｂを陳列可能状態において水平に設けてもよい。これにより、陳列板５１の高さ方向の幅を小さくすることができるため、より小さなスペースで多くの商品を陳列できる商品陳列棚を提供することができる。この場合、図１０の（ｂ）のように、陳列板５１を斜め下方向にした状態で陳列板５１の後端部をストッパー８で保持することにより、陳列可能状態におけるスライド溝５１ｂの方向を陳列板２の前方に向かって下方に傾斜したスライド溝２ｂと同様な効果を得ることができる。
【００４０】
また、陳列板２、２の下端部に、陳列板２，２を連結する底板を設けてもよい。これにより、陳列板２、２の幅より小さい小物も容易に陳列することができる。
【符号の説明】
【００４１】
１、２０・・収納部
２、２１、５１・・陳列板
２ｂ、２１ｂ、５１ｂ・・スライド溝
３・・底板
４、２２・・水平軸
５、６・・位置決め部材
８、１２、１４・・ストッパー
１１、１５，１６，１７、２７・・陳列台
１００、１１０、１２０、１３０・・商品陳列棚
【図１】
2018143343.tif 000003
【図２】
2018143343.tif 000004
【図３】
2018143343.tif 000005
【図４】
2018143343.tif 000006
【図５】
2018143343.tif 000007
【図６】
2018143343.tif 000008
【図７】
2018143343.tif 000009
【図８】
2018143343.tif 000010
【図９】
2018143343.tif 000011
【図１０】
2018143343.tif 000012